(57)【要約】【課題】被視認性を高める為に、傘に反射板を直接取付けた物は存在するが、どの様な傘でも簡単に取付け可能で、汎用性の高い反射板は無かった。また、クリップに反射板を付けただけでは、コストが高くなり、広く一般に普及できない。【解決手段】ナイロン等のしなやかな樹脂に、反射シールを貼り、端部には細長い連結部材を一体成形する。連結部材の先端には貫通孔を設け、反射シールの背面部には、凸形状を設ける。以上の構成で本体を折り曲げ、傘の布地の端部を挟み、凸部を貫通孔に挿入する事で、傘に保持する。傘をさす人から見える部分に、意匠面を設ける。【選択図】  図３
2006239363.tif 000002
【特許請求の範囲】
【請求項１】
円形、長円形、長方形または、これらに類する形状の反射板において、下記の様に装置した事を特徴とする、反射クリップ。
前述の反射板とは、光の屈折、反射、蓄光等を利用して被視認性を高めた、板状の装置全般を指し、具体的には、自転車の後部に取り付けられたリフレクター等を言う。また、板状の部材に反射シールまたは前記のリフレクター等を取り付けた構成や、蛍光材、蓄光材等を塗布または貼付ける事で、被視認性を高めた構成等も含む。
１、反射板の裏側、すなわち、反射面の背面側に、凸形状を設ける。
２、棒状または板状で、細長く、しなやかで、曲げ伸ばし自在な連結部材を、反射板の端部に取り付ける。しなやかで、曲げ伸ばし自在な連結部材とは、例えば、ナイロン製の結線バンドなどと同等の部材を指す。
３、上記２の連結部材の先端近傍に、凹部または貫通孔を設け、この連結部材をＵ字形に曲げた時、反射板の裏側に設けた凸部が、前記の凹部または貫通孔に嵌合する様に装置する。尚、凸部と、凹部または貫通孔の配置は、前記の構成と逆の構成、すなわち、反射板の裏側が凹部または貫通孔で、連結部材の端部近傍が凸部である構成も含む。
【請求項２】
下記のいずれか、または、全ての特徴を有する、請求項１に記載の、反射クリップ。
１、反射シールやリフレクター等を貼り付ける為の板状部材と、連結部材を、樹脂、ゴム、または薄い金属で一体成形した。または、凸部以外の部分を一体成形した。
２、連結部材は、繰り返しの曲げ伸ばしに対応できる様に、スプリング形状、渦巻き形状、波板形状、表面に凹凸を設けた形状または、これらに類する形状に成形した。
３、連結部材の幅または径は、連結部材の両端部よりも、中央部近傍を小さくした。
４、反射板は、平板では無く、曲面、円筒や円錐面の一部、角柱や角錐面の一部、球面の−部、または、これらに類する形状に成形した。
５、反射板の形状を長円形または長方形または、これらに類する細長い形状とした場合、連結部材は短辺部分に装置され、また、短辺の幅は、５０ｍｍ以下とした。
６、凸形状部分は、根元部分よりも先端付近の方が細くなる様に、装置した。または、先端部分が尖った、針形状とした。
７、凸形状部分の先端には、釣り針の先端に類似した返し形状、または、傘形状を設け、凹部または貫通孔から抜けにくくなる様、装置した。または、先端付近を根元部分よりも太くした。または、凸形状部の側面に、突起形状または凹部形状を設けた。
８、凸部及び、凹部または貫通孔の形状は、円形、方形、多角形、星形または、これらに類する形状とした。
９、凸部の先端ハ、凹部または貫通孔の縁部の、どちらか一方または両方に、滑らかに嵌合させる為の面取り、または、丸みを付けた。
１０、凹部または貫通孔は、凸部の外径と同等または、小さくした。
１１、凹部または貫通孔は、凸部の外径と同等または、大きくし、なおかつ、凹部または貫通孔の内側に、凸部に接するまたは押し当てられる突起形状を設けた。
１２、凹部または貫通孔の周囲に、１本または複数のスリットを放射状に設け、凸部を挿入した際、凹部または貫通孔が弾性変形し、凸部を確実に保持する様に装置した。
１３、凸部の内部を空洞とする、または、凸部にスリットを放射状に設け、凹部または貫通孔に挿入した際、スリット部が弾性変形し、確実に保持する様に装置した。
１４、連結部材の端部近傍で、反射板の反射面と同じ側に、意匠面を設けた。
１５、連結部材の端部近傍で、反射板の反射面と同じ側に、文字、記号、略号、絵文字等を記載した。記載方法は、印刷、シール等の貼付け、または樹脂成形とする。
【請求項３】
円形、長円形、長方形または、これらに類する形状の反射板において、反射板の背面部または端部に、下記のいずれかの装置を設けた事を特徴とする、反射クリップ。尚、反射板の定義は、請求項１に記載の内容と同様とする。また、下記の装置と反射板を、一体とした構成も含む。
１、洗濯バサミ状の、金属バネ入りのクリップを取り付けた。
２、安全ピンまたは、これに類する装置を取り付けた。
３、ゼムクリップまたは、これに類する装置を取り付けた。
４、ヘアピン状のクリップまたは、これに類する装置を取り付けた。
５、紐状部材を取り付け、その先端に、前記１から４の装置を取り付けた。
【請求項４】
反射板を、渦巻き形状または、ゼムクリップ形状に成形または切り抜き、直接、紙や布の端部に挿入して保持可能に構成した事を特徴とする、反射クリップ。尚、反射板の定義は、請求項１に記載の内容と同等とする。
渦巻き形状またはゼムクリップ形状とは、平板状の部材にスリットを入れたり、一部分を切り抜いた形状全般を指し、部材の一部分を弾性変形させ、紙などの薄い部材を上下から挟んで保持する構造全てを指す。
【発明の詳細な説明】
【技術分野】
【０００１】本発明は、主として傘などに取り付け、被視認性を高める為の安全器具に関する。
【背景技術】
【０００２】傘に一体で取りつけられた反射板等は存在するが、どの傘でも、簡単に取り付け可能な汎用性の高い反射板は存在しなかった。
傘に反射板を取付ければ、夜間の被視認性が高まり、安全である事は周知の事実だが、反射板を安全で確実に取り付けられ、しかも低価格で作れるものが求められている。
【発明の開示】
【発明が解決しようとしている課題】
【０００３】傘に最初から反射板を取り付るのは、商品性が低下する可能性が有る。  そこで、安全で簡単で、確実に傘に取付け可能な反射板を提供する。
また、意匠面を設け、販促品としての普及も可能な構成とする。
【課題を解決する為の手段】
【０００４】反射板の背面に、簡単に、繰り返し着脱が可能な保持装置を設け、傘の布部分に反射板を取付ける。また、樹脂で一体成形可能な構成とし、コストを下げる。
【発明の効果】
【０００５】本発明品によれば、傘を傷める事も無く、どの様な傘にも簡単で確実に反射板を取り付ける事が可能で、雨天で夜間の歩行時に被視認性が高まる。
また、傘に取付けた際、傘の持ち主から見える部分を意匠面とし、メーカー名等を記載する事が可能な為、販促品として配布する用途にも使用できる。
【発明を実施するための最良の形態】
【０００６】反射板の背面に、凸形状を設ける。反射板の端部には、しなやかな材料で構成された連結部材を設け、その先端に、凹部または、貫通孔を設ける。
連結部材を折り曲げ、凹部または貫通孔に、凸形状を差し込む。その際、傘の布部分を挟み込めば、反射板は、確実に傘に取り付けができる。
【実施例】
【０００７】図１は、本発明品の上面図を表す。１は、反射シールを貼り付けた樹脂製の平板で、連結部材２が一体成形されている。連結部材２の先端部分には一定の面積を有する平面部５が設けられ、５には、貫通孔４が設けられている。
図２は、本発明品の側面図であり、３は、反射シールを貼り付けた面と反対側に、一体成形で設けられた凸部である。【０００８】図３は、図１の実施例に対して、連結部材２を、蛇行した形状の連結部材６に置き換えた構成である。この様に構成する事により、連結部材２が、繰り返しの曲げ伸ばしに対して、耐久性を上げる効果がある。
また、７は、意匠面を表す。後述の通り、傘の端部に本発明品を取り付けると、外側からは反射板が見えるので、被視認性が増す。傘をさしている人からは、この意匠面が見える。そこで、７の面に会社名等を記載すれば、販促品としての利用価値が高まる。【０００９】図４は、本発明品を、傘に取り付けた状態の断面図を表す。８は、傘の布地であり、連結部材２を折り曲げて布地８を挟み、突起３を貫通孔４に差し込み、保持する。
９は、布地８を挟み、突起３が貫通孔４に差し込まれた状態を示す。
この様に、布地８を、突起３を使って貫通孔４に押し込む形になる為、しっかりと保持され、簡単に外れる事は無い。しかも布地を傷める事も無く、外す事も可能である。
図５は、傘の端部に取り付けた状態を表す。傘１０に、反射板１が取り付けられる事で、被視認性が増し、交通安全に寄与できる。また、複数の本発明品を取付ければ、前後左右からも被視認性が増す。以上が、請求項１及び２に記載の実施例である。【００１０】請求項３は、反射板に、別体の取付け部材を装置したもので、また、請求項４は、反射板そのものにスリットを設け、直接、傘の布地に取付ける構成を表す。どちらも、前述の構成とは異なるが、目的は同じであり、傘に取り付けた状態は、図５と同じである。
以上が、本発明品の実施例である。
【産業上の利用可能性】
【００１１】本発明によれば、どの様な傘にでも簡単に反射板を取り付ける事が可能で、夜間の交通安全に寄与できる。また、傘の持ち主から見える位置に意匠面を設けてある為、販促品として配付する事も可能であり、効果的に普及させる事ができる。
【図面の簡単な説明】
【００１２】
【図１】  請求項１及び２の、正面図を表す。
【図２】  請求項１及び２の、側面図を表す。
【図３】  請求項１及び２の、正面図で、連結部材の形状を変えた構成を表す。
【図４】  請求項１及び２を、傘の生地に挟んで保持した状態を表す。
【図５】  本発明品の請求項１から４を、傘に取り付けた状態を表す。
【符号の説明】
【００１３】        １、反射板、または、反射シール等を貼り付けた平板
２、連結部材
３、反射板の背面に設けた、凸部
４、連結部材の端部
５、連結部材の端部に設けた、貫通孔
６、波形に成形した、連結部材
７、連結部材の端部に設けた、意匠面
８、傘の布地
９、傘の布地を挟み込んだ状態
１０、傘
【図１】
2006239363.tif 000003
【図２】
2006239363.tif 000004
【図３】
2006239363.tif 000005
【図４】
2006239363.tif 000006
【図５】
2006239363.tif 000007